(57)【要約】  フェムトセル基地局は、有線通信回線の終端装置を介して固定通信網に接続されるとともに、無線通信によって携帯電話と通信可能な基地局装置である。またフェムトセル基地局は、終端装置に関連して固定通信網の管理サーバに登録されている位置情報を、固定通信網から取得する取得部と、その位置情報をフェムトセル基地局に関連する位置情報として移動体通信網に通知する通知部とを備える。
2011021431.tif 000002
【特許請求の範囲】
【請求項１】
有線通信回線の終端装置を介して固定通信網に接続されるとともに、無線通信によって移動端末と通信可能な基地局装置であって、
前記終端装置に関連して前記固定通信網の管理サーバに登録されている第１の位置情報を、前記固定通信網から取得する取得手段と、
前記第１の位置情報を前記基地局装置に関連する位置情報として移動体通信網の管理サーバに通知する通知手段と
を備える、基地局装置。
【請求項２】
前記第１の位置情報と、前記移動体通信網の管理サーバに予め登録された前記基地局装置に関連する前記第２の位置情報との比較結果に基づいて、前記取得手段における前記第１の位置情報の取得の可否が決定される、請求項１に記載の基地局装置。
【請求項３】
前記第１の位置情報と、前記移動体通信網の管理サーバに予め登録された前記基地局装置に関連する前記第２の位置情報との比較結果に基づいて、前記基地局装置の使用の可否を決定する、請求項１に記載の基地局装置。
【請求項４】
前記第１の位置情報と、前記移動体通信網の管理サーバに予め登録された前記基地局装置に関連する前記第２の位置情報との比較結果に基づいて、前記基地局装置と通信可能な移動端末を決定する、請求項１に記載の基地局装置。
【請求項５】
前記第１の位置情報と、前記移動体通信網の管理サーバに予め登録された前記基地局装置に関連する前記複数の第２の位置情報との比較結果に基づいて、前記基地局装置における処理内容を決定する、請求項１に記載の基地局装置。
【請求項６】
前記移動体通信網の管理サーバから前記基地局装置に送信される、前記移動端末と前記基地局装置との通信に関する所定の情報を、前記移動体通信網の管理サーバから前記基地局装置の周辺基地局を介して受信する、請求項１〜５のいずれか一つに記載の基地局装置。
【請求項７】
前記移動体通信網の管理サーバから前記基地局装置に送信される、前記移動端末と前記基地局装置との通信に関する所定の情報を、前記移動体通信網の管理サーバから前記固定通信網及び前記終端装置を介して受信する、請求項１〜５のいずれか一つに記載の基地局装置。
【請求項８】
固定通信網と、
移動体通信網と、
有線通信回線の終端装置を介して前記固定通信網に接続されるとともに、無線通信によって移動端末と通信可能な基地局装置と
を備える通信システムであって、
前記終端装置に関連して前記固定通信網の管理サーバに登録されている第１の位置情報を、前記基地局装置に関連する位置情報として、前記移動体通信網の管理サーバに通知する通知手段を有する、通信システム。
【請求項９】
有線通信回線の終端装置を介して固定通信網に接続されるとともに、無線通信によって移動端末と通信可能な基地局装置を用いた通信方法であって、
（Ａ）前記終端装置に関連して前記固定通信網の管理サーバに登録されている第１の位置情報を、前記固定通信網から取得するステップと、
（Ｂ）前記第１の位置情報を前記基地局装置に関連する位置情報として移動体通信網の管理サーバに通知するステップと
を備える、通信方法。
【請求項１０】
有線通信回線の終端装置を介して固定通信網に接続されるとともに、無線通信によって移動端末と通信可能な基地局装置に搭載されるコンピュータを、
前記終端装置に関連して前記固定通信網の管理サーバに登録されている第１の位置情報を、前記固定通信網から取得する取得手段と、
前記第１の位置情報を前記基地局装置に関連する位置情報として移動体通信網の管理サーバに通知する通知手段と
として機能させる、プログラム。
【発明の詳細な説明】
【技術分野】
【０００１】
本発明は、基地局装置、通信システム、通信方法、及びプログラムに関する。
【背景技術】
【０００２】
携帯電話による通信は電波を利用するため、通信サービスのエリア内であっても、屋外基地局（以下「マクロセル基地局」と称す）からの電波が届きにくい（又は届かない）電波不感エリアでは、携帯電話による通信が不可能となる。そこで、電波不感エリアにおいても携帯電話による通信を可能とすべく、小型基地局を用いた通信システムの構築が検討されている。【０００３】
この通信システムにおいては、半径が数メートルないし数十メートル程度の極小セル（フェムトセル）を通信圏内とする小型基地局（以下「フェムトセル基地局」と称す）が、電波不感エリア内に設置される。フェムトセル基地局は有線通信回線の終端装置を介して固定通信網に接続され、固定通信網はゲートウェイを介して移動体通信事業者の移動体通信網に接続される。従って、電波不感エリア内の携帯電話はフェムトセル基地局及び固定通信網を介して移動体通信網に接続され、その結果、電波不感エリア内においても携帯電話による通信が可能となる。【０００４】
なお、下記特許文献１には、光通信の加入者宅内に設置された無線基地局を備える通信システムが開示されている。この通信システムにおいて、加入者宅内で使用される携帯電話からの信号は、宅内の無線基地局から光通信ケーブルを介して収容局に送信され、収容局からＩＰ網、一般電話交換網、又は移動通信交換網等の各種ネットワークに送信される。
【先行技術文献】
【特許文献】
【０００５】
【特許文献１】特開２００４−１５１０３号公報
【発明の概要】
【発明が解決しようとする課題】
【０００６】
フェムトセル基地局は、それを購入等したユーザによって建物（例えばそのユーザの自宅）内に自由に設置される。そのため、移動体通信事業者による基地局の計画設置を行うためには、フェムトセル基地局の設置場所に関する位置情報を移動体通信事業者がフェムトセル基地局から収集する必要がある。【０００７】
ここで、位置情報の収集のために、フェムトセル基地局にＧＰＳ（Global Positioning System）信号の受信機を搭載することも考えられる。しかし、ＧＰＳ信号の受信機の追加によって、フェムトセル基地局のコストが上昇する。また、フェムトセル基地局は常に窓際に設置されるとは限らず、この場合にはＧＰＳ信号を直接受信できないため、位置特定の精度が低下する。【０００８】
本発明はかかる事情に鑑みて成されたものであり、基地局装置の設置場所に関する位置情報の取得を簡易かつ低コストで実現することが可能な、基地局装置、通信システム、通信方法、及びプログラムを得ることを目的とするものである。
【課題を解決するための手段】
【０００９】
本発明の第１の態様に係る基地局装置は、有線通信回線の終端装置を介して固定通信網に接続されるとともに、無線通信によって移動端末と通信可能な基地局装置であって、前記終端装置に関連して前記固定通信網の管理サーバに登録されている第１の位置情報を、前記固定通信網から取得する取得手段と、前記第１の位置情報を前記基地局装置に関連する位置情報として移動体通信網の管理サーバに通知する通知手段とを備えることを特徴とするものである。【００１０】
ここで、終端装置には、ＯＮＵ、ＡＤＳＬモデム、ＶＤＳＬモデム、又はダイヤルアップモデム等の、屋内に設置されて屋外の有線通信回線を終端する任意の装置が含まれる。
また、固定通信網の管理サーバとは、当該固定通信網において、終端装置に関連して登録される第１の位置情報を記憶管理する機能をサービスとして提供する機能を有する装置である。前記固定通信網の管理サーバには、固定通信網内に配置される装置であって、前記機能を有する様々な装置が含まれる。
また、移動体通信網の管理サーバとは、当該移動体通信網において、基地局装置から通知される、当該基地局装置に関連する位置情報としての第１の位置情報を受信し管理する機能をサービスとして提供する機能を有する装置であり、移動体通信網内に配置される装置、例えば、ＨＬＲ（Home Location Register）、ＶＬＲ（Visitor Location Register）、ＲＮＣ（Radio Network Controller）、ＭＳＣ（Mobile Switching Center）、ＳＧＳＮ（Service GPRS（General Packet Radio Service）Support Node）、ＭＭＥ（Mobility Management Entity）、Ｓ−ＧＷ（Serving SAE Gateway）、Ｐ−ＧＷ（PDN SAE Gateway）、及び、ＨＳＳ（Home Subscriber Server）等により実現される。また、基地局装置が、上記移動体通信網の管理サーバとしての機能を備えていてもよい。【００１１】
また、通知手段による移動体通信網の管理サーバへの第１の位置情報の通知の形態には、通知手段によって基地局装置から移動体通信網の管理サーバに通知する形態のほか、通知手段が、固定通信網の管理サーバに、移動体通信網の管理サーバに向けた位置情報の通知を行わせる形態も含まれる。【００１２】
また、位置情報には、住所情報又は居所情報等、終端装置の設置場所に関する位置情報が含まれる。【００１３】
第１の態様に係る基地局装置によれば、取得手段は、終端装置に関連して固定通信網の管理サーバに登録されている第１の位置情報を、固定通信網から取得する。そして、通知手段は、第１の位置情報を基地局装置に関連する位置情報として移動体通信網の管理サーバに通知する。従って、基地局装置にＧＰＳ信号の受信機を搭載する場合と比較すると、基地局装置の設置場所に関する位置情報の取得を簡易かつ低コストで実現することが可能となる。【００１４】
本発明の第２の態様に係る基地局装置は、第１の態様に係る基地局装置において特に、前記第１の位置情報と、前記移動体通信網の管理サーバに予め登録された前記基地局装置に関連する前記第２の位置情報との比較結果に基づいて、前記取得手段における前記第１の位置情報の取得の可否が決定されることを特徴とするものである。【００１５】
第２の態様に係る基地局装置によれば、移動体通信網の管理サーバには、基地局装置に関連する第２の位置情報が予め登録されている。そして、第１の位置情報と第２の位置情報との比較結果に基づいて、取得手段における第１の位置情報の取得の可否が決定される。従って、例えば、契約時に申請した住所情報等（第２の位置情報）と実際の設置場所（第１の位置情報）とが異なる場合には取得手段に第１の位置情報を取得させないことにより、不正な基地局装置によって第１の位置情報が取得されることを防止することが可能となる。【００１６】
本発明の第３の態様に係る基地局装置は、第１の態様に係る基地局装置において特に、前記第１の位置情報と、前記移動体通信網の管理サーバに予め登録された前記基地局装置に関連する前記第２の位置情報との比較結果に基づいて、前記基地局装置の使用の可否を決定することを特徴とするものである。【００１７】
第３の態様に係る基地局装置によれば、移動体通信網の管理サーバには、基地局装置に関連する第２の位置情報が予め登録されている。そして、第１の位置情報と第２の位置情報との比較結果に基づいて、基地局装置の使用の可否を決定する。従って、例えば、契約時に申請した住所情報等（第２の位置情報）と実際の設置場所（第１の位置情報）とが異なる場合には基地局装置を使用させないことにより、基地局装置の不正使用を防止することが可能となる。【００１８】
本発明の第４の態様に係る基地局装置は、第１の態様に係る基地局装置において特に、前記第１の位置情報と、前記移動体通信網の管理サーバに予め登録された前記基地局装置に関連する前記第２の位置情報との比較結果に基づいて、前記基地局装置と通信可能な移動端末を決定することを特徴とするものである。【００１９】
第４の態様に係る基地局装置によれば、移動体通信網の管理サーバには、基地局装置に関連する第２の位置情報が予め登録されている。そして、第１の位置情報と第２の位置情報との比較結果に基づいて、基地局装置と通信可能な移動端末を決定する。これにより、ユーザの利便性を向上することが可能となる。例えば、契約時に自宅の住所情報（第２の位置情報）を申請し、家族の携帯電話に関する情報を基地局装置に登録しておくことにより、自宅に設置した基地局装置と通信可能な携帯電話を、家族の携帯電話のみに制限することができる。【００２０】
本発明の第５の態様に係る基地局装置は、第１の態様に係る基地局装置において特に、前記第１の位置情報と、前記移動体通信網の管理サーバに予め登録された前記基地局装置に関連する前記複数の第２の位置情報との比較結果に基づいて、前記基地局装置における処理内容を決定することを特徴とするものである。【００２１】
ここで、基地局装置における処理には、基地局装置の使用の可否を決定する処理、又は基地局装置と通信可能な移動端末を決定する処理が含まれる。【００２２】
第５の態様に係る基地局装置によれば、移動体通信網の管理サーバには、基地局装置に関連する複数の第２の位置情報が予め登録されている。第１の位置情報と複数の第２の位置情報との比較結果に基づいて、基地局装置における処理内容を決定する。従って、例えば、契約時に申請した住所情報等（複数の第２の位置情報）と実際の設置場所（第１の位置情報）とが異なる場合には基地局装置を使用させないことにより、基地局装置の不正使用を防止することが可能となる。また、複数の第２の位置情報を登録することにより、ユーザの利便性を向上することが可能となる。例えば、基地局装置の使用場所が複数想定される場合に、複数の使用場所（複数の第２の位置情報）を契約時に申請し、基地局装置と通信可能な携帯電話を使用場所ごとに基地局装置に登録しておくことができる。これにより、例えば、基地局装置を自宅に設置した場合には基地局装置と通信可能な携帯電話を家族の携帯電話のみに制限し、基地局装置を職場に設置した場合には基地局装置と通信可能な携帯電話を制限しない、といった運用が可能となる。【００２３】
本発明の第６の態様に係る基地局装置は、第１〜第５のいずれか一つの態様に係る基地局装置において特に、前記移動体通信網の管理サーバから前記基地局装置に送信される、前記移動端末と前記基地局装置との通信に関する所定の情報を、前記移動体通信網の管理サーバから前記基地局装置の周辺基地局を介して受信することを特徴とするものである。【００２４】
ここで、所定の情報には、基地局装置の周辺セルに関する情報、又は基地局装置の送信電力に関する情報等が含まれる。【００２５】
第６の態様に係る基地局装置によれば、移動端末と基地局装置との通信に関する所定の情報を、移動体通信網の管理サーバから基地局装置の周辺基地局を介して受信する。従って、ノウハウが含まれる可能性のある所定の情報が固定通信網を流れることを回避できるため、固定通信網における情報の漏洩を防止することが可能となる。【００２６】
本発明の第７の態様に係る基地局装置は、第１〜第５のいずれか一つの態様に係る基地局装置において特に、前記移動体通信網の管理サーバから前記基地局装置に送信される、前記移動端末と前記基地局装置との通信に関する所定の情報を、前記移動体通信網の管理サーバから前記固定通信網及び前記終端装置を介して受信することを特徴とするものである。【００２７】
ここで、所定の情報には、基地局装置の周辺セルに関する情報、又は基地局装置の送信電力に関する情報等が含まれる。【００２８】
第７の態様に係る基地局装置によれば、移動端末と基地局装置との通信に関する所定の情報を、移動体通信網の管理サーバから固定通信網及び終端装置を介して受信する。従って、周辺基地局からの送信電波が到達し得ない場所に基地局装置が設置され、基地局装置が所定の情報を周辺基地局から受信できない場合であっても、固定通信網及び終端装置を経由することにより、基地局装置は移動体通信網から所定の情報を受信することが可能となる。【００２９】
本発明の第８の態様に係る通信システムは、固定通信網と、移動体通信網と、有線通信回線の終端装置を介して前記固定通信網に接続されるとともに、無線通信によって移動端末と通信可能な基地局装置とを備える通信システムであって、前記終端装置に関連して前記固定通信網の管理サーバに登録されている第１の位置情報を、前記基地局装置に関連する位置情報として、前記移動体通信網の管理サーバに通知する通知手段を有することを特徴とするものである。【００３０】
ここで、終端装置には、ＯＮＵ、ＡＤＳＬモデム、ＶＤＳＬモデム、又はダイヤルアップモデム等の、屋内に設置されて屋外の有線通信回線を終端する任意の装置が含まれる。【００３１】
また、通知手段による移動体通信網の管理サーバへの第１の位置情報の通知の形態には、通知手段によって基地局装置から移動体通信網の管理サーバに通知する形態のほか、通知手段が、固定通信網の管理サーバに、移動体通信網の管理サーバに向けた位置情報の通知を行わせる形態も含まれる。【００３２】
また、位置情報には、住所情報又は居所情報等、終端装置の設置場所に関する位置情報が含まれる。【００３３】
第８の態様に係る通信システムによれば、通知手段は、第１の位置情報を基地局装置に関連する位置情報として移動体通信網の管理サーバに通知する。従って、基地局装置にＧＰＳ信号の受信機を搭載する場合と比較すると、基地局装置の設置場所に関する位置情報の取得を簡易かつ低コストで実現することが可能となる。【００３４】
本発明の第９の態様に係る通信方法は、有線通信回線の終端装置を介して固定通信網に接続されるとともに、無線通信によって移動端末と通信可能な基地局装置を用いた通信方法であって、（Ａ）前記終端装置に関連して前記固定通信網の管理サーバに登録されている第１の位置情報を、前記固定通信網から取得するステップと、（Ｂ）前記第１の位置情報を前記基地局装置に関連する位置情報として移動体通信網の管理サーバに通知するステップとを備えることを特徴とするものである。【００３５】
ここで、終端装置には、ＯＮＵ、ＡＤＳＬモデム、ＶＤＳＬモデム、又はダイヤルアップモデム等の、屋内に設置されて屋外の有線通信回線を終端する任意の装置が含まれる。【００３６】
また、ステップ（Ｂ）における移動体通信網の管理サーバへの第１の位置情報の通知の形態には、基地局装置から移動体通信網の管理サーバに通知する形態のほか、基地局装置が、固定通信網の管理サーバに、移動体通信網の管理サーバに向けた位置情報の通知を行わせる形態も含まれる。【００３７】
また、位置情報には、住所情報又は居所情報等、終端装置の設置場所に関する位置情報が含まれる。【００３８】
第９の態様に係る通信方法によれば、ステップ（Ａ）では、終端装置に関連して固定通信網の管理サーバに登録されている第１の位置情報が、固定通信網から取得される。そして、ステップ（Ｂ）では、第１の位置情報が、基地局装置に関連する位置情報として移動体通信網の管理サーバに通知される。従って、基地局装置にＧＰＳ信号の受信機を搭載する場合と比較すると、基地局装置の設置場所に関する位置情報の取得を簡易かつ低コストで実現することが可能となる。【００３９】
本発明の第１０の態様に係るプログラムは、有線通信回線の終端装置を介して固定通信網に接続されるとともに、無線通信によって移動端末と通信可能な基地局装置に搭載されるコンピュータを、前記終端装置に関連して前記固定通信網の管理サーバに登録されている第１の位置情報を、前記固定通信網から取得する取得手段と、前記第１の位置情報を前記基地局装置に関連する位置情報として移動体通信網の管理サーバに通知する通知手段ととして機能させることを特徴とするものである。【００４０】
ここで、終端装置には、ＯＮＵ、ＡＤＳＬモデム、ＶＤＳＬモデム、又はダイヤルアップモデム等の、屋内に設置されて屋外の有線通信回線を終端する任意の装置が含まれる。【００４１】
また、通知手段による移動体通信網への第１の位置情報の通知の形態には、通知手段によって基地局装置から移動体通信網の管理サーバに通知する形態のほか、通知手段が、固定通信網の管理サーバに、移動体通信網の管理サーバに向けた位置情報の通知を行わせる形態も含まれる。【００４２】
また、位置情報には、住所情報又は居所情報等、終端装置の設置場所に関する位置情報が含まれる。【００４３】
第１０の態様に係るプログラムによれば、取得手段は、終端装置に関連して固定通信網の管理サーバに登録されている第１の位置情報を、固定通信網から取得する。そして、通知手段は、第１の位置情報を基地局装置に関連する位置情報として移動体通信網の管理サーバに通知する。従って、基地局装置にＧＰＳ信号の受信機を搭載する場合と比較すると、基地局装置の設置場所に関する位置情報の取得を簡易かつ低コストで実現することが可能となる。
【発明の効果】
【００４４】
本発明によれば、基地局装置の設置場所に関する位置情報の取得を簡易かつ低コストで実現することが可能となる。
【図面の簡単な説明】
【００４５】
【図１】本発明の実施の形態に係る通信システムの全体構成を概略的に示す図である。
【図２】フェムトセル基地局に搭載されているコンピュータの機能構成を示すブロック図である。
【図３】処理部の機能構成を示す図である。
【図４】フェムトセル基地局が新たに設置された場合に、通信システムにおいて実行される処理手順の第１の例を示す図である。
【図５】フェムトセル基地局が新たに設置された場合に、通信システムにおいて実行される処理手順の第２の例を示す図である。
【図６】フェムトセル基地局が新たに設置された場合に、通信システムにおいて実行される処理手順の第３の例を示す図である。
【図７】フェムトセル基地局が新たに設置された場合に、通信システムにおいて実行される処理手順の第４の例を示す図である。
【図８】フェムトセル基地局が新たに設置された場合に、通信システムにおいて実行される処理手順の第５の例を示す図である。
【図９】フェムトセル基地局が新たに設置された場合に、通信システムにおいて実行される処理手順の第６の例を示す図である。
【発明を実施するための形態】
【００４６】
以下、本発明の実施の形態について、図面を用いて詳細に説明する。なお、異なる図面において同一の符号を付した要素は、同一又は相応する要素を示すものとする。
【００４７】
図１は、本発明の実施の形態に係る通信システム１の全体構成を概略的に示す図である。小型基地局２は、屋内（例えばユーザの自宅内）に設置されている。小型基地局２は、半径が数メートルないし数十メートル程度の極小セルを通信エリアとする。以下、本明細書においては、小型基地局の通信エリアを「フェムトセル」と称し、小型基地局を「フェムトセル基地局」と称する。図１を参照して、フェムトセル基地局２の周囲には、フェムトセル基地局２の通信エリアであるフェムトセル１２が規定される。マクロセル基地局１１は、例えば屋外に設置されている。マクロセル基地局１１の周囲には、マクロセル基地局１１の通信エリアであるマクロセル１３が規定される。
【００４８】
図１に示した例では、フェムトセル１２はマクロセル１３内に含まれている。従って、フェムトセル１２内に位置する携帯電話１４（図１における参照符号１４Ｘ，１４Ｙ）は、フェムトセル基地局２のアンテナ２Ａとの間で電波の送受信を行うことが可能であるとともに、マクロセル基地局１１のアンテナ１１Ａとの間で電波の送受信を行うことも可能である。また、フェムトセル基地局２Ａは、マクロセル基地局１１からの送信電波を受信することが可能である。以下の説明では、携帯電話１４Ｘは、フェムトセル基地局２の正規ユーザが有する携帯電話であり、携帯電話１４Ｙは、フェムトセル基地局２の正規ユーザではない第三者が有する携帯電話であるものとする。
【００４９】
マクロセル基地局１１は、通信回線１０を介して、移動体通信事業者が有する移動体通信網８に接続されている。フェムトセル基地局２は、光ファイバ又はメタルケーブル等の有線通信回線４を終端する終端装置３に接続されている。終端装置３は、屋内に設置されて屋外の有線通信回線４を終端する任意の装置であり、例えば、ＯＮＵ（Optical Network Unit）、ＡＤＳＬモデム、ＶＤＳＬモデム、又はダイヤルアップモデム等である。終端装置３は、フェムトセル基地局２と同一の屋内（例えばユーザの自宅内）に設置されている。終端装置３は、有線通信回線４を介して固定通信網５に接続されている。固定通信網５は、固定通信事業者が有する通信網、又は公衆のＩＰ網である。固定通信網５は、ゲートウェイ７を介して移動体通信網８に接続されている。固定通信網５は管理サーバ６を有しており、移動体通信網８は管理サーバ９を有している。管理サーバ９は、既存のＨＬＲ（Home Location Register）であっても良いし、ＨＬＲとは別の専用のサーバであってもよい。
ここで、固定通信網の管理サーバとは、当該固定通信網において、終端装置に関連して登録される第１の位置情報を記憶管理する機能をサービスとして提供する機能を有する装置である。前記固定通信網の管理サーバには、固定通信網内に配置される装置であって、前記機能を有する様々な装置が含まれる。
また、移動体通信網の管理サーバとは、当該移動体通信網において、基地局装置から通知される、当該基地局装置に関連する位置情報としての第１の位置情報を受信し管理する機能をサービスとして提供する機能を有する装置であり、移動体通信網内に配置される装置、例えば、ＨＬＲ（Home Location Register）、ＶＬＲ（Visitor Location Register）、ＲＮＣ（Radio Network Controller）、ＭＳＣ（Mobile Switching Center）、ＳＧＳＮ（Service GPRS（General Packet Radio Service）Support Node）、ＭＭＥ（Mobility Management Entity）、Ｓ−ＧＷ（Serving SAE Gateway）、Ｐ−ＧＷ（PDN SAE Gateway）、及び、ＨＳＳ（Home Subscriber Server）等により実現される。また、基地局装置が、上記移動体通信網の管理サーバとしての機能を備えていてもよい。
【００５０】
管理サーバ６には、終端装置３の位置情報が登録されている。この位置情報は、住所情報又は居所情報等、終端装置３の設置場所に関する情報である。以下の例では、終端装置３の位置情報は、ユーザと固定通信事業者との契約時にユーザが終端装置３の設置場所として申請した住所情報であるものとする。
【００５１】
図２は、フェムトセル基地局２に搭載されているコンピュータの機能構成を示すブロック図である。当該コンピュータは、ＣＰＵ等の処理部２１と、半導体メモリ等の記憶部２２と、入出力インタフェース２３とを備えて構成されている。記憶部２２には、プログラム２４及び登録端末情報２５が記憶されている。処理部２１は、プログラム２４に従って動作する。
【００５２】
登録端末情報２５は、フェムトセル基地局２との通信を許可する携帯電話１４（この例では携帯電話１４Ｘ）の固有識別情報であり、例えば、携帯電話１４Ｘの電話番号又はＩＭＳＩ（International Mobile Subscriber Identity）である。記憶部２２への登録端末情報２５の登録方法は任意である。例えば、フェムトセル基地局２の購入時に購入店舗の専用端末を用いて登録することが可能である。あるいは、フェムトセル基地局２を自宅に設置した後に、専用のアプリケーションソフトウェアを用いてインターネット経由で登録することも可能である。あるいは、フェムトセル基地局２に携帯電話１４Ｘを有線又は無線で接続することによって、携帯電話１４Ｘの電話番号又はＩＭＳＩ等を登録することも可能である。
【００５３】
図３は、処理部２１の機能構成を示す図である。プログラム２４に従って動作することにより、処理部２１は、取得部３０、通知部３１、設定部３２、及び判定部３３として機能する。換言すれば、プログラム２４は、処理部２１を、取得部３０、通知部３１、設定部３２、及び判定部３３として機能させるためのプログラムである。
【００５４】
ここで、移動体通信事業者による基地局の計画設置を行うためには、フェムトセル基地局２の設置場所に関する位置情報を収集して管理サーバ９に登録する必要がある。
【００５５】
図４は、フェムトセル基地局２が新たに設置された場合に、通信システム１において実行される処理手順の第１の例を示す図である。フェムトセル基地局２が終端装置３に接続されると、まず取得部３０は、住所情報取得要求Ｓ１を管理サーバ６に送信する。住所情報取得要求Ｓ１は、フェムトセル基地局２から、終端装置３及び固定通信網５を介して、管理サーバ６に送信される。
【００５６】
次に管理サーバ６は、該当する終端装置３の住所情報を含む住所情報取得応答Ｓ２を、フェムトセル基地局２に送信する。住所情報取得応答Ｓ２は、管理サーバ６から、固定通信網５及び終端装置３を介して、フェムトセル基地局２に送信される。
【００５７】
次に取得部３０は、管理サーバ６から受信した住所情報取得応答Ｓ２に含まれている終端装置３の住所情報を、記憶部２２に登録する。
このようにして、取得部３０は、管理サーバ６に登録されている終端装置３の住所情報（第１の位置情報）を、固定通信網５から取得する。
【００５８】
次に通知部３１は、住所情報通知Ｓ３を管理サーバ９に送信する。この住所情報通知Ｓ３には、フェムトセル基地局２の固有識別情報が含まれるとともに、管理サーバ６から受信した終端装置３の住所情報がフェムトセル基地局２の住所情報として含まれている。住所情報通知Ｓ３は、フェムトセル基地局２から、終端装置３、固定通信網５、及び移動体通信網８を介して、管理サーバ９に送信される。
このようにして、通知部３１は、第１の位置情報をフェムトセル基地局２に関連する位置情報として移動体通信網８の管理サーバ９に通知する。
【００５９】
次に管理サーバ９は、フェムトセル基地局２から受信した住所情報通知Ｓ３に含まれているフェムトセル基地局２の固有識別情報及び住所情報を、互いに関連付けて登録する。
【００６０】
次に管理サーバ９は、フェムトセル基地局２の住所情報に基づいて、フェムトセル基地局２の周辺に設置されているマクロセル基地局１１を割り出す。また、管理サーバ９は、フェムトセル基地局２とマクロセル基地局１１との間の距離や、マクロセル１３の設定状況に基づいて、フェムトセル基地局２が展開可能なセルサイズ（つまりフェムトセル基地局２の送信電力）を算出する。そして、管理サーバ９は、マクロセル基地局１１やマクロセル１３に関する周辺セル情報と、フェムトセル基地局２の送信電力の設定情報とを含む構成情報通知Ｓ４を、フェムトセル基地局２に送信する。構成情報通知Ｓ４は、管理サーバ９から、移動体通信網８、固定通信網５、及び終端装置３を介して、フェムトセル基地局２に送信される。周辺セル情報がフェムトセル基地局２に通知されることにより、セル間ハンドオーバやセル再選択等の処理に対応可能となる。
【００６１】
次に設定部３２は、管理サーバ９から受信した構成情報通知Ｓ４に含まれている周辺セル情報を記憶部２２に登録するとともに、構成情報通知Ｓ４に含まれている送信電力の設定情報に基づいて、フェムトセル基地局２の送信電力を設定する。
【００６２】
図５は、フェムトセル基地局２が新たに設置された場合に、通信システム１において実行される処理手順の第２の例を示す図である。フェムトセル基地局２が終端装置３に接続されると、まず取得部３０は、住所情報取得要求Ｓ１を管理サーバ６に送信する。この住所情報取得要求Ｓ１には、フェムトセル基地局２の固有識別情報が含まれている。住所情報取得要求Ｓ１は、フェムトセル基地局２から、終端装置３及び固定通信網５を介して、管理サーバ６に送信される。
【００６３】
次に管理サーバ６は、該当する終端装置３の住所情報を含む住所情報取得応答Ｓ２を、フェムトセル基地局２に送信する。これとともに管理サーバ６は、住所情報通知Ｓ３を管理サーバ９に送信する。この住所情報通知Ｓ３には、フェムトセル基地局２の固有識別情報が含まれるとともに、終端装置３の住所情報がフェムトセル基地局２の住所情報として含まれている。住所情報取得応答Ｓ２は、管理サーバ６から、固定通信網５及び終端装置３を介して、フェムトセル基地局２に送信される。また、住所情報通知Ｓ３は、管理サーバ６から、固定通信網５及び移動体通信網８を介して、管理サーバ９に送信される。
【００６４】
次に取得部３０は、管理サーバ６から受信した住所情報取得応答Ｓ２に含まれている終端装置３の住所情報を、記憶部２２に登録する。また、管理サーバ９は、管理サーバ６から受信した住所情報通知Ｓ３に含まれているフェムトセル基地局２の固有識別情報及び住所情報を、互いに関連付けて登録する。
【００６５】
次に管理サーバ９は、フェムトセル基地局２の住所情報に基づいて、フェムトセル基地局２の周辺に設置されているマクロセル基地局１１を割り出す。また、管理サーバ９は、フェムトセル基地局２とマクロセル基地局１１との間の距離や、マクロセル１３の設定状況に基づいて、フェムトセル基地局２が展開可能なセルサイズ（つまりフェムトセル基地局２の送信電力）を算出する。そして、管理サーバ９は、マクロセル基地局１１やマクロセル１３に関する周辺セル情報と、フェムトセル基地局２の送信電力の設定情報とを含む構成情報通知Ｓ４を、フェムトセル基地局２に送信する。構成情報通知Ｓ４は、管理サーバ９から、移動体通信網８、固定通信網５、及び終端装置３を介して、フェムトセル基地局２に送信される。周辺セル情報がフェムトセル基地局２に通知されることにより、セル間ハンドオーバやセル再選択等の処理に対応可能となる。
【００６６】
次に設定部３２は、管理サーバ９から受信した構成情報通知Ｓ４に含まれている周辺セル情報を記憶部２２に登録するとともに、構成情報通知Ｓ４に含まれている送信電力の設定情報に基づいて、フェムトセル基地局２の送信電力を設定する。
【００６７】
図６は、フェムトセル基地局２が新たに設置された場合に、通信システム１において実行される処理手順の第３の例を示す図である。この例において、管理サーバ９には、フェムトセル基地局２の位置情報が予め登録されている。この位置情報は、住所情報又は居所情報等、フェムトセル基地局２の設置場所に関する情報であり、以下の例では、フェムトセル基地局２の購入時にユーザがフェムトセル基地局２の設置予定場所として申請した住所情報であるものとする。管理サーバ９には、フェムトセル基地局２の固有識別情報と、ユーザによって申請された住所情報とが、互いに関連付けられて登録されている。
【００６８】
フェムトセル基地局２が終端装置３に接続されると、まず取得部３０は、住所情報取得要求Ｓ１を管理サーバ６に送信する。この住所情報取得要求Ｓ１には、フェムトセル基地局２の固有識別情報が含まれている。住所情報取得要求Ｓ１は、フェムトセル基地局２から、終端装置３及び固定通信網５を介して、管理サーバ６に送信される。
【００６９】
次に管理サーバ６は、住所情報の確認要求Ｓ５を、管理サーバ９に送信する。この確認要求Ｓ５には、フェムトセル基地局２の固有識別情報と、該当する終端装置３の住所情報とが含まれている。確認要求Ｓ５は、管理サーバ６から、固定通信網５及び移動体通信網８を介して、管理サーバ９に送信される。
【００７０】
次に管理サーバ９は、管理サーバ６から受信した確認要求Ｓ５に含まれている終端装置３の住所情報と、同一の固有識別情報に関連して管理サーバ９に予め登録されているフェムトセル基地局２の住所情報（以下「事前登録住所情報」と称す）とを比較することにより、両者が一致するか否かを判定する。
【００７１】
終端装置３の住所情報とフェムトセル基地局２の事前登録住所情報とが一致しない場合は、管理サーバ９は、両者が一致しない旨の確認応答Ｓ６を管理サーバ６に送信する。確認応答Ｓ６は、管理サーバ９から、移動体通信網８及び固定通信網５を介して、管理サーバ６に送信される。次に、管理サーバ６は、フェムトセル基地局２の使用を拒否する旨の拒否通知Ｓ７を、フェムトセル基地局２に送信する。この拒否通知Ｓ７には、終端装置３の住所情報は含まれていない。拒否通知Ｓ７は、管理サーバ６から、固定通信網５及び終端装置３を介して、フェムトセル基地局２に送信される。
終端装置３の住所情報と事前登録住所情報との比較結果である拒否通知Ｓ７を受信したフェムトセル基地局２の設定部３２は、自己であるフェムトセル基地局２のサービスを停止することを決定し、サービスを停止する設定を行う。
【００７２】
一方、終端装置３の住所情報とフェムトセル基地局２の事前登録住所情報とが一致する場合は、管理サーバ９は、両者が一致する旨の確認応答Ｓ８を管理サーバ６に送信する。確認応答Ｓ８は、管理サーバ９から、移動体通信網８及び固定通信網５を介して、管理サーバ６に送信される。次に、管理サーバ６は、終端装置３の住所情報を含む住所情報取得応答Ｓ２を、フェムトセル基地局２に送信する。住所情報取得応答Ｓ２は、管理サーバ６から、固定通信網５及び終端装置３を介して、フェムトセル基地局２に送信される。
【００７３】
終端装置３の住所情報と事前登録住所情報との比較結果としての住所情報取得応答Ｓ２を受信したフェムトセル基地局２の取得部３０は、自己であるフェムトセル基地局２のサービスを実行することを決定し、管理サーバ６から受信した住所情報取得応答Ｓ２に含まれている終端装置３の住所情報を、記憶部２２に登録する。
【００７４】
次に通知部３１は、住所情報通知Ｓ３を管理サーバ９に送信する。この住所情報通知Ｓ３には、フェムトセル基地局２の固有識別情報が含まれるとともに、管理サーバ６から受信した終端装置３の住所情報がフェムトセル基地局２の住所情報として含まれている。住所情報通知Ｓ３は、フェムトセル基地局２から、終端装置３、固定通信網５、及び移動体通信網８を介して、管理サーバ９に送信される。
【００７５】
次に管理サーバ９は、フェムトセル基地局２から受信した住所情報通知Ｓ３に含まれているフェムトセル基地局２の固有識別情報及び住所情報を、互いに関連付けて登録する。
【００７６】
次に管理サーバ９は、フェムトセル基地局２の住所情報に基づいて、フェムトセル基地局２の周辺に設置されているマクロセル基地局１１を割り出す。また、管理サーバ９は、フェムトセル基地局２とマクロセル基地局１１との間の距離や、マクロセル１３の設定状況に基づいて、フェムトセル基地局２が展開可能なセルサイズ（つまりフェムトセル基地局２の送信電力）を算出する。そして、管理サーバ９は、マクロセル基地局１１やマクロセル１３に関する周辺セル情報と、フェムトセル基地局２の送信電力の設定情報とを含む構成情報通知Ｓ４を、フェムトセル基地局２に送信する。構成情報通知Ｓ４は、管理サーバ９から、移動体通信網８、固定通信網５、及び終端装置３を介して、フェムトセル基地局２に送信される。周辺セル情報がフェムトセル基地局２に通知されることにより、セル間ハンドオーバやセル再選択等の処理に対応可能となる。
【００７７】
次に設定部３２は、管理サーバ９から受信した構成情報通知Ｓ４に含まれている周辺セル情報を記憶部２２に登録するとともに、構成情報通知Ｓ４に含まれている送信電力の設定情報に基づいて、フェムトセル基地局２の送信電力を設定する。
【００７８】
図７は、フェムトセル基地局２が新たに設置された場合に、通信システム１において実行される処理手順の第４の例を示す図である。この例においても上記第３の例と同様に、管理サーバ９には、フェムトセル基地局２の事前登録住所情報が予め登録されている。
【００７９】
フェムトセル基地局２が終端装置３に接続されると、まず取得部３０は、住所情報取得要求Ｓ１を管理サーバ６に送信する。住所情報取得要求Ｓ１は、フェムトセル基地局２から、終端装置３及び固定通信網５を介して、管理サーバ６に送信される。
【００８０】
次に管理サーバ６は、該当する終端装置３の住所情報を含む住所情報取得応答Ｓ２を、フェムトセル基地局２に送信する。住所情報取得応答Ｓ２は、管理サーバ６から、固定通信網５及び終端装置３を介して、フェムトセル基地局２に送信される。
【００８１】
次に取得部３０は、管理サーバ６から受信した住所情報取得応答Ｓ２に含まれている終端装置３の住所情報を、記憶部２２に登録する。
【００８２】
次に通知部３１は、住所情報通知Ｓ３を管理サーバ９に送信する。この住所情報通知Ｓ３には、フェムトセル基地局２の固有識別情報が含まれるとともに、管理サーバ６から受信した終端装置３の住所情報がフェムトセル基地局２の住所情報として含まれている。住所情報通知Ｓ３は、フェムトセル基地局２から、終端装置３、固定通信網５、及び移動体通信網８を介して、管理サーバ９に送信される。
【００８３】
次に管理サーバ９は、フェムトセル基地局２から受信した住所情報通知Ｓ３に含まれているフェムトセル基地局２の住所情報と、同一の固有識別情報に関連して管理サーバ９に予め登録されているフェムトセル基地局２の事前登録住所情報とを比較することにより、両者が一致するか否かを判定する。
【００８４】
住所情報通知Ｓ３に含まれているフェムトセル基地局２の住所情報と、フェムトセル基地局２の事前登録住所情報とが一致しない場合は、管理サーバ９は、フェムトセル基地局２の使用を拒否する旨の拒否通知Ｓ９をフェムトセル基地局２に送信する。拒否通知Ｓ９は、管理サーバ９から、移動体通信網８、固定通信網５、及び終端装置３を介して、フェムトセル基地局２に送信される。
終端装置３の住所情報と事前登録住所情報との比較結果である拒否通知Ｓ９を受信したフェムトセル基地局２の設定部３２は、自己であるフェムトセル基地局２のサービスを停止することを決定し、サービスを停止する設定を行う。
なお、フェムトセル基地局２の設定部３２は、拒否通知Ｓ９を受信しなければ、自己であるフェムトセル基地局２のサービスを実行する。すなわち、フェムトセル基地局２の設定部３２は、拒否通知Ｓ９の受信に応じて、自己であるフェムトセル基地局２のサービスを実行するか否かを決定する。
【００８５】
一方、住所情報通知Ｓ３に含まれているフェムトセル基地局２の住所情報と、フェムトセル基地局２の事前登録住所情報とが一致する場合は、管理サーバ９は、住所情報通知Ｓ３に含まれているフェムトセル基地局２の固有識別情報及び住所情報を、互いに関連付けて登録する。
【００８６】
次に管理サーバ９は、フェムトセル基地局２の住所情報に基づいて、フェムトセル基地局２の周辺に設置されているマクロセル基地局１１を割り出す。また、管理サーバ９は、フェムトセル基地局２とマクロセル基地局１１との間の距離や、マクロセル１３の設定状況に基づいて、フェムトセル基地局２が展開可能なセルサイズ（つまりフェムトセル基地局２の送信電力）を算出する。そして、管理サーバ９は、マクロセル基地局１１やマクロセル１３に関する周辺セル情報と、フェムトセル基地局２の送信電力の設定情報とを含む構成情報通知Ｓ４を、フェムトセル基地局２に送信する。構成情報通知Ｓ４は、管理サーバ９から、移動体通信網８、固定通信網５、及び終端装置３を介して、フェムトセル基地局２に送信される。周辺セル情報がフェムトセル基地局２に通知されることにより、セル間ハンドオーバやセル再選択等の処理に対応可能となる。
【００８７】
次に設定部３２は、管理サーバ９から受信した構成情報通知Ｓ４に含まれている周辺セル情報を記憶部２２に登録するとともに、構成情報通知Ｓ４に含まれている送信電力の設定情報に基づいて、フェムトセル基地局２の送信電力を設定する。
【００８８】
図８は、フェムトセル基地局２が新たに設置された場合に、通信システム１において実行される処理手順の第５の例を示す図である。この例においても上記第３の例と同様に、管理サーバ９には、フェムトセル基地局２の事前登録住所情報が予め登録されている。
【００８９】
フェムトセル基地局２が終端装置３に接続されると、まず取得部３０は、住所情報取得要求Ｓ１を管理サーバ６に送信する。住所情報取得要求Ｓ１は、フェムトセル基地局２から、終端装置３及び固定通信網５を介して、管理サーバ６に送信される。
【００９０】
次に管理サーバ６は、住所情報通知Ｓ３を、管理サーバ９に送信する。この住所情報通知Ｓ３には、フェムトセル基地局２の固有識別情報が含まれるとともに、終端装置３の住所情報がフェムトセル基地局２の住所情報として含まれている。住所情報通知Ｓ３は、管理サーバ６から、固定通信網５及び移動体通信網８を介して、管理サーバ９に送信される。
【００９１】
次に管理サーバ９は、管理サーバ６から受信した住所情報通知Ｓ３に含まれているフェムトセル基地局２の住所情報と、同一の固有識別情報に関連して管理サーバ９に予め登録されているフェムトセル基地局２の事前登録住所情報とを比較することにより、両者が一致するか否かを判定する。
【００９２】
住所情報通知Ｓ３に含まれているフェムトセル基地局２の住所情報と、フェムトセル基地局２の事前登録住所情報とが一致しない場合は、管理サーバ９は、フェムトセル基地局２の使用を拒否する旨の拒否通知Ｓ９をフェムトセル基地局２に送信する。拒否通知Ｓ９は、管理サーバ９から、移動体通信網８、固定通信網５、及び終端装置３を介して、フェムトセル基地局２に送信される。
終端装置３の住所情報と事前登録住所情報との比較結果である拒否通知Ｓ９を受信したフェムトセル基地局２の設定部３２は、自己であるフェムトセル基地局２のサービスを停止することを決定し、サービスを停止する設定を行う。
なお、フェムトセル基地局２の設定部３２は、拒否通知Ｓ９を受信しなければ、自己であるフェムトセル基地局２のサービスを実行する。すなわち、フェムトセル基地局２の設定部３２は、拒否通知Ｓ９の受信に応じて、自己であるフェムトセル基地局２のサービスを実行するか否かを決定する。
【００９３】
一方、住所情報通知Ｓ３に含まれているフェムトセル基地局２の住所情報と、フェムトセル基地局２の事前登録住所情報とが一致する場合は、管理サーバ９は、住所情報通知Ｓ３に含まれているフェムトセル基地局２の固有識別情報及び住所情報を、互いに関連付けて登録する。
【００９４】
次に管理サーバ９は、フェムトセル基地局２の住所情報に基づいて、フェムトセル基地局２の周辺に設置されているマクロセル基地局１１を割り出す。また、管理サーバ９は、フェムトセル基地局２とマクロセル基地局１１との間の距離や、マクロセル１３の設定状況に基づいて、フェムトセル基地局２が展開可能なセルサイズ（つまりフェムトセル基地局２の送信電力）を算出する。そして、管理サーバ９は、マクロセル基地局１１やマクロセル１３に関する周辺セル情報と、フェムトセル基地局２の送信電力の設定情報とを含む構成情報通知Ｓ４を、フェムトセル基地局２に送信する。構成情報通知Ｓ４は、管理サーバ９から、移動体通信網８、固定通信網５、及び終端装置３を介して、フェムトセル基地局２に送信される。周辺セル情報がフェムトセル基地局２に通知されることにより、セル間ハンドオーバやセル再選択等の処理に対応可能となる。
【００９５】
次に設定部３２は、管理サーバ９から受信した構成情報通知Ｓ４に含まれている周辺セル情報を記憶部２２に登録するとともに、構成情報通知Ｓ４に含まれている送信電力の設定情報に基づいて、フェムトセル基地局２の送信電力を設定する。
【００９６】
図９は、フェムトセル基地局２が新たに設置された場合に、通信システム１において実行される処理手順の第６の例を示す図である。この例においても上記第３の例と同様に、管理サーバ９には、フェムトセル基地局２の事前登録住所情報が予め登録されている。
【００９７】
フェムトセル基地局２が終端装置３に接続されると、まず通知部３１は、固有識別情報通知Ｓ１０を、管理サーバ９に送信する。この固有識別情報通知Ｓ１０には、フェムトセル基地局２の固有識別情報が含まれている。また、固有識別情報通知Ｓ１０には、該当する終端装置３の固有識別情報が含まれている。固有識別情報通知Ｓ１０は、フェムトセル基地局２から、終端装置３、固定通信網５、及び移動体通信網８を介して、管理サーバ９に送信される。
【００９８】
次に管理サーバ９は、住所情報取得要求Ｓ２０を管理サーバ６に送信する。住所情報取得要求Ｓ２０は、管理サーバ９から、移動体通信網８及び固定通信網５を介して、管理サーバ６に送信される。
【００９９】
次に管理サーバ６は、該当する終端装置３の住所情報を含む住所情報取得応答Ｓ２１を、管理サーバ９に送信する。住所情報取得応答Ｓ２１は、管理サーバ６から、固定通信網５及び移動体通信網８を介して、管理サーバ９に送信される。
【０１００】
次に管理サーバ９は、管理サーバ６から受信した住所情報取得応答Ｓ２１に含まれている終端装置３の住所情報と、固有識別情報通知Ｓ１０に含まれているフェムトセル基地局２の固有識別情報に関連して管理サーバ９に予め登録されているフェムトセル基地局２の事前登録住所情報とを比較することにより、両者が一致するか否かを判定する。
【０１０１】
住所情報取得応答Ｓ２１に含まれている終端装置３の住所情報と、フェムトセル基地局２の事前登録住所情報とが一致しない場合は、管理サーバ９は、フェムトセル基地局２の使用を拒否する旨の拒否通知Ｓ９をフェムトセル基地局２に送信する。拒否通知Ｓ９は、管理サーバ９から、移動体通信網８、固定通信網５、及び終端装置３を介して、フェムトセル基地局２に送信される。
終端装置３の住所情報と事前登録住所情報との比較結果である拒否通知Ｓ９を受信したフェムトセル基地局２の設定部３２は、自己であるフェムトセル基地局２のサービスを停止することを決定し、サービスを停止する設定を行う。
なお、フェムトセル基地局２の設定部３２は、拒否通知Ｓ９を受信しなければ、自己であるフェムトセル基地局２のサービスを実行する。すなわち、フェムトセル基地局２の設定部３２は、拒否通知Ｓ９の受信に応じて、自己であるフェムトセル基地局２のサービスを実行するか否かを決定する。
【０１０２】
一方、住所情報取得応答Ｓ２１に含まれている終端装置３の住所情報と、フェムトセル基地局２の事前登録住所情報とが一致する場合は、管理サーバ９は、住所情報取得応答Ｓ２１に含まれている終端装置３の住所情報を、フェムトセル基地局２の住所情報として、フェムトセル基地局２の固有識別情報に関連付けて登録する。
【０１０３】
次に管理サーバ９は、フェムトセル基地局２の住所情報に基づいて、フェムトセル基地局２の周辺に設置されているマクロセル基地局１１を割り出す。また、管理サーバ９は、フェムトセル基地局２とマクロセル基地局１１との間の距離や、マクロセル１３の設定状況に基づいて、フェムトセル基地局２が展開可能なセルサイズ（つまりフェムトセル基地局２の送信電力）を算出する。そして、管理サーバ９は、マクロセル基地局１１やマクロセル１３に関する周辺セル情報と、フェムトセル基地局２の送信電力の設定情報とを含む構成情報通知Ｓ４を、フェムトセル基地局２に送信する。構成情報通知Ｓ４は、管理サーバ９から、移動体通信網８、固定通信網５、及び終端装置３を介して、フェムトセル基地局２に送信される。周辺セル情報がフェムトセル基地局２に通知されることにより、セル間ハンドオーバやセル再選択等の処理に対応可能となる。
【０１０４】
次に設定部３２は、管理サーバ９から受信した構成情報通知Ｓ４に含まれている周辺セル情報を記憶部２２に登録するとともに、構成情報通知Ｓ４に含まれている送信電力の設定情報に基づいて、フェムトセル基地局２の送信電力を設定する。
【０１０５】
図４〜９に示した例において、フェムトセル基地局２の送信電力の設定が完了した後は、フェムトセル基地局２は使用可能な状態となり、電波送信を開始する。
【０１０６】
判定部３３は、フェムトセル基地局２にアクセスしてきた携帯電話１４の固有識別情報（電話番号又はＩＭＳＩ等）が、記憶部２２に記憶されている登録端末情報２５に一致するか否かを判定する。そして、判定部３３は、両者が一致する場合にはその携帯電話１４に対してフェムトセル基地局２との通信を許可し、両者が一致しない場合にはその携帯電話１４に対してフェムトセル基地局２との通信を禁止する。
【０１０７】
このように本実施の形態に係るフェムトセル基地局２によれば、取得部３０は、管理サーバ６に登録されている終端装置３の住所情報（第１の位置情報）を、固定通信網５から取得する。そして、通知部３１は、第１の位置情報をフェムトセル基地局２に関連する位置情報として移動体通信網８の管理サーバ９に通知する。従って、フェムトセル基地局２にＧＰＳ信号の受信機を搭載する場合と比較すると、フェムトセル基地局２の設置場所に関する位置情報の取得を簡易かつ低コストで実現することが可能となる。
【０１０８】
また、図６に示した例によれば、移動体通信網８の管理サーバ９には、フェムトセル基地局２に関連する事前登録住所情報（第２の位置情報）が予め登録されている。そして、第１の位置情報と第２の位置情報との比較結果に基づいて、取得部３０における第１の位置情報の取得の可否が決定される。従って、契約時に申請した住所情報等（第２の位置情報）と実際の設置場所（第１の位置情報）とが異なる場合には取得部３０に第１の位置情報を取得させないことにより、不正なフェムトセル基地局２によって第１の位置情報が取得されることを防止することが可能となる。
【０１０９】
また、図６〜９に示した例によれば、移動体通信網８の管理サーバ９には、フェムトセル基地局２に関連する事前登録住所情報（第２の位置情報）が予め登録されている。そして、第１の位置情報と第２の位置情報との比較結果に基づいて、フェムトセル基地局２の使用の可否が決定される。従って、契約時に申請した住所情報等（第２の位置情報）と実際の設置場所（第１の位置情報）とが異なる場合にはフェムトセル基地局２を使用させないことにより、フェムトセル基地局２の不正使用を防止することが可能となる。
【０１１０】
また、本実施の形態に係るフェムトセル基地局２によれば、携帯電話１４とフェムトセル基地局２との通信に関する構成情報通知Ｓ４は、移動体通信網８から固定通信網５及び終端装置３を介してフェムトセル基地局２に送信される。従って、マクロセル基地局１１からの送信電波が到達し得ない場所にフェムトセル基地局２が設置され、フェムトセル基地局２が構成情報通知Ｓ４をマクロセル基地局１１から受信できない場合であっても、固定通信網５及び終端装置３を経由することにより、フェムトセル基地局２は移動体通信網８から構成情報通知Ｓ４を受信することが可能となる。
【０１１１】
＜第１の変形例＞
上記実施の形態では、管理サーバ９が終端装置３の住所情報とフェムトセル基地局２の事前登録住所情報とを比較し、両者が一致しない場合にはフェムトセル基地局２の使用を拒否する処理を行った。
【０１１２】
これに対し、両者が一致しない場合であってもフェムトセル基地局２の使用を許可し、その代わりに、両者が一致しない場合には、フェムトセル基地局２との通信を許可する携帯電話１４の制限（つまり登録端末情報２５に基づく制限）を無効とする処理を行っても良い。
【０１１３】
例えば、フェムトセル基地局２の購入時に自宅の住所情報を申請し、家族の携帯電話に関する情報を登録端末情報２５として登録しておく。この場合、フェムトセル基地局２を自宅に設置した場合には、フェムトセル基地局２と通信可能な携帯電話１４は家族の携帯電話のみに制限され、一方、フェムトセル基地局２を持ち運んで職場に設置した場合には、任意の携帯電話１４によってフェムトセル基地局２との通信が可能となる。
【０１１４】
第１の変形例によれば、移動体通信網８の管理サーバ９には、フェムトセル基地局２に関連する事前登録住所情報が予め登録されている。そして、終端装置３の住所情報とフェムトセル基地局２の事前登録住所情報との比較結果に基づいて、フェムトセル基地局２は、当該フェムトセル基地局２と通信可能な携帯電話１４を決定する。これにより、ユーザの利便性を向上することが可能となる。
【０１１５】
＜第２の変形例＞
図６〜９に示した例では、フェムトセル基地局２の一つの固有識別情報に対して一つの事前登録住所情報が管理サーバ９に登録された。
【０１１６】
これに対し、フェムトセル基地局２の一つの固有識別情報に対して複数の事前登録住所情報を管理サーバ９に登録しても良い。また、この場合、事前登録住所情報ごとに登録端末情報２５を個別に設定しても良い。
【０１１７】
例えば、フェムトセル基地局２の購入時に自宅の住所情報と職場の住所情報とを申請することにより、自宅の住所及び職場の住所が、事前登録住所情報として管理サーバ９に登録される。そして、自宅の住所に関しては家族の携帯電話に関する情報を登録端末情報２５として登録し、職場の住所に関しては同僚の携帯電話に関する情報を登録端末情報２５として登録しておく。この場合、フェムトセル基地局２を自宅に設置した場合には、フェムトセル基地局２と通信可能な携帯電話１４は家族の携帯電話のみに制限され、一方、フェムトセル基地局２を持ち運んで職場に設置した場合には、フェムトセル基地局２と通信可能な携帯電話１４は同僚の携帯電話のみに制限される。なお、いずれの事前登録住所情報にも該当しない場合には、上記実施の形態のようにフェムトセル基地局２の使用を拒否しても良いし、上記第１の変形例のように登録端末情報２５に基づく制限を無効とする処理を行っても良い。
【０１１８】
第２の変形例によれば、移動体通信網８の管理サーバ９には、フェムトセル基地局２に関連する複数の事前登録住所情報が予め登録されている。そして、終端装置３の住所情報とフェムトセル基地局２の複数の事前登録住所情報との比較結果に基づいて、フェムトセル基地局２は、当該フェムトセル基地局２における処理内容を決定する。これにより、ユーザの利便性を向上することが可能となる。
【０１１９】
＜第３の変形例＞
上記実施の形態では、構成情報通知Ｓ４は、管理サーバ９から、移動体通信網８、固定通信網５、及び終端装置３を介して、フェムトセル基地局２に送信された。
【０１２０】
これに対し、図１に示したようにフェムトセル１２がマクロセル１３内に含まれることにより、フェムトセル基地局２がマクロセル基地局１１からの送信電波を受信することが可能な状況である場合には、構成情報通知Ｓ４を、管理サーバ９から、移動体通信網８及びマクロセル基地局１１を介して、フェムトセル基地局２に送信しても良い。
【０１２１】
第３の変形例によれば、構成情報通知Ｓ４は、移動体通信網８からマクロセル基地局１１を介してフェムトセル基地局２に送信され、フェムトセル基地局２は、周辺基地局としてのマクロセル基地局１１を介して構成情報通知Ｓ４を受信する。従って、ノウハウが含まれる可能性のある構成情報通知Ｓ４が固定通信網５を流れることを回避できるため、固定通信網５における情報の漏洩を防止することが可能となる。
【０１２２】
また、フェムトセル基地局２が、移動体通信網８において、他の基地局から通知される、当該基地局に関連する位置情報としての第１の位置情報を受信し管理するとともに自装置の第１の位置情報を管理する機能、及び、前記機能をサービスとして提供する機能、すなわち、移動体通信網の管理サーバとしての機能を備えていても良い。
【０１２３】
なお、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【０１２４】
１  通信システム
２  フェムトセル基地局
３  終端装置
５  固定通信網
６，９  管理サーバ
８  移動体通信網
１１  マクロセル基地局
１４（１４Ｘ，１４Ｙ）  携帯電話
２１  処理部
２２  記憶部
２４  プログラム
２５  登録端末情報
３０  取得部
３１  通知部
３２  設定部
３３  判定部
【図１】
2011021431.tif 000003
【図２】
2011021431.tif 000004
【図３】
2011021431.tif 000005
【図４】
2011021431.tif 000006
【図５】
2011021431.tif 000007
【図６】
2011021431.tif 000008
【図７】
2011021431.tif 000009
【図８】
2011021431.tif 000010
【図９】
2011021431.tif 000011
【国際調査報告】
2011021431.tif 000012
2011021431.tif 000013
2011021431.tif 000014
2011021431.tif 000015